(57)【要約】【課題】  端末装置において、サーバー側と使用者との情報のやり取りにおいて、簡単に情報の収集管理できない。【解決手段】  デジタル配信媒体１にて配信された情報を読取る読取手段３と、宅内制御装置２と、デジタル配信媒体１に使用者が、キーワード、時間設定をする設定部１９と、設定部１９の情報をサーバー１５と通信装置１７を介して通信する。情報を管理するサーバー１５は使用者の設定結果に応じてキーワードと比較し所望の情報を取り入れ、時間経過した情報は自動的に削除する構成とし、デジタル配信媒体１を介して、サーバー側と、使用者の間には、情報が蓄積されても、記憶領域が有効に活用でき迅速に検索実行される。【選択図】  図１
2005050191.tif 000002
【特許請求の範囲】
【請求項１】
デジタル配信媒体に重畳され、ＨＴＭＬ、ＸＭＬ，もしくはＢＭＬで記述されたコンテンツに関する情報を読取る読取手段と、前記読取手段の内容に基づいて少なくとも前記内容を表示する表示手段、音声出力手段、機器と通信し制御する制御手段とを備えた宅内制御装置において、前記宅内制御装置の制御手段は、前記コンテンツに含まれる少なくともキーワード情報および時間制限情報により所定の制御を実行する構成とした宅内制御装置。
【請求項２】
宅内制御装置に着脱自在な記録媒体を有し、少なくとも記録媒体に複製制限手段、セキュリテイ手段、著作権保護手段、書込禁止手段を有する請求項１記載の宅内制御装置。
【請求項３】
宅内制御装置はカレンダー機能を有し、情報取得手段により情報取得時に、時間、時刻、内容の少なくともひとつを記憶手段に記憶し、情報管理するサーバとの間で相互に通信する請求項１記載の宅内制御装置。
【請求項４】
宅内制御装置に、デジタル配信媒体から配信されてくるコンテンツのキーワードに反応する条件設定部を有する請求項１ないし請求項３のいずれか一つの記載の宅内制御装置。
【請求項５】
機器はガスに関連する給湯器、ガス漏れ警報機等のセキュリテイ機器、ガスメータ、空調機、燃料電池、暖房機、調理器等であり、宅内制御装置とは、ワイヤレスで通信する請求項１から請求項４のいずれか一つの記載の宅内制御装置。
【請求項６】
宅内制御装置は、キーワード情報に基づいてコンテンツを分類する機能を有する請求項１〜請求項５のいずれか一つ記載の宅内制御装置。
【発明の詳細な説明】
【技術分野】
【０００１】
本発明は、デジタル配信媒体を利用した応用装置に関わり、特にサーバー側からデジタル配信媒体にて配信された情報に関し使用者が何らかの操作を施すことによって、使用者に有益なサービスを受けることができる宅内制御装置に関する。
【背景技術】
【０００２】
以下、従来の宅内制御装置について図面を参照しながら説明する。従来、この種の端末装置は、図９に示されているように、テレビ番組と連携してインターネットホームページを自動的にテレビ画面上に表示させるもので、個々のテレビに関連したインターネットのＵＲＬ情報を組み込んだテレビ番組表データを外部から記憶手段５８内に取り込む（例えば特許文献１参照）。視聴者が、現在視聴しているチャンネルを表す視聴チャンネル情報を検出する。視聴者が現在視聴しているチャンネルを表す視聴チャンネル情報をテレビ番組表データと比較することにより、現在視聴されている番組表を特定する。この特定された番組に関連して番組表を特定する。この特定された番組に関連して番組表データに組み込まれているＵＲＬに対して自動的にアクセスする。これにより、テレビの分割画面の１つに、またはテレビ画面上に開いたウインドウ内に前記ＵＲＬのホームページのブラウザ画面を表示させるものである。
【特許文献１】特開平１０−１７７５３２号公報
【発明の開示】
【発明が解決しようとする課題】
【０００３】
しかしながら、このような従来の端末装置では、サーバー側（コンテンツ情報を提供する側）から情報が蓄積され続けて、不要な情報が増え、記憶領域のリソースを圧迫する課題があった。また、特定の視聴者に特定のサーバー側が伝える特定の情報を確実に伝えることはできなかった。また、サーバー側から送られた情報を外出先で取出せない課題があった。また、視聴する側に所望の情報を速く的確に取出せない課題があった。また、使用者は、デジタル配信媒体から得られる情報と関連する設備関連機器を制御するためのサーバー側とのコミュニケーション、及び更なるサービスを受けることができない課題もあった。
【０００４】
本発明は上記の課題を解決するもので、サーバー側と使用者が、簡単に情報の授受と、コミュニケーションでき、使用者には、有益なサービスを提供することによって、さらにサーバー側の情報通信を促進する端末装置を提供することを目的とする。
【課題を解決するための手段】
【０００５】
前記課題を解決するために本発明は、デジタル配信媒体に重畳され、ＨＴＭＬ、ＸＭＬ，もしくはＢＭＬで記述されたコンテンツに関する情報を読取る読取手段と、前記読取手段の内容に基づいて少なくとも前記内容を表示する表示手段、音声出力手段、機器と通信し制御する制御手段とを備えた宅内制御装置において、前記宅内制御装置の制御手段は、前記コンテンツに含まれる少なくともキーワード情報および時間制限情報により所定の制御を実行する構成とした宅内制御装置である。
【０００６】
本発明によれば、デジタル配信媒体を介して、サーバー側から提供されるコンテンツ情報には少なくともキーワード及び時間制限情報が付加されているので、使用者側において特定のキーワードを設定してあげると情報検索が迅速に実行される上に時間制限をこえたコンテンツ情報は消滅し、記憶領域のリソースの圧迫は解消することができる。
【発明の効果】
【０００７】
本発明は、デジタル配信媒体に重畳され、ＨＴＭＬもしくはＸＭＬ，ＢＭＬで記述されたコンテンツに関する情報を読取る読取手段と、前記読取手段の内容に基づいて少なくとも前記内容を表示する表示手段、音声出力手段、機器と通信し制御する制御手段とを備えた宅内制御装置において、前記コンテンツには、少なくともキーワード情報、時間制限情報を有するので、蓄積型の情報から記憶領域のリソースを圧迫することなく簡単に迅速に所望の情報が得られる効果がある。
【発明を実施するための最良の形態】
【０００８】
第１の発明は、デジタル配信媒体に重畳され、ＨＴＭＬもしくはＸＭＬ，ＢＭＬで記述されたコンテンツに関する情報を読取る読取手段と、読取手段の内容に基づいて少なくとも内容を表示する表示手段、音声出力手段、機器と通信し制御する制御手段とを備えた宅内制御装置において、宅内制御装置の制御手段は、コンテンツに含まれる少なくともキーワード情報および時間制限情報により所定の制御を実行する構成とした端末装置としてある。
【０００９】
本発明において、デジタル配信媒体に重畳され、ＨＴＭＬもしくはＸＭＬ，ＢＭＬで記述されたコンテンツに含まれたキーワード、時間制限情報は、一時書換え可能な記録手段に記憶される。デジタル配信媒体には、サーバー側から使用者への有益な表示、音声、制御情報が共通のフォーマットで記憶されている。使用者の側で、あらかじめ決められたキーワードと、サーバー側が送信してきた情報とが一致すると、対応する情報が宅内制御装置側で、再生され表示、音声、制御情報が端末装置画面に表示される。そして、操作した結果をデジタル配信媒体に履歴を残す形で、その履歴部へその情報が保管される。この時、コンテンツの表示が有効となる時間制限情報も保管される。デジタル配信媒体の履歴部の情報結果は通信インフラを介して、例えば、公衆回線である、電話、携帯電話、ＰＨＳ等のモデムや情報通信回線網などあらゆる通信装置で、サーバー側と通信する。また、デジタル配信媒体には、サーバー側の通信先が重畳され、記憶手段に記憶され、通信装置からデジタル配信媒体を履歴部の内容は、サーバー側へ自動的に送信され、使用者からの通信されてきた情報は、サーバー側の目的に応じて情報を管理する構成としている。
【００１０】
このように、宅内制御装置に記憶されるコンテンツにはあらかじめ決められれたキーワードおよび時間制限情報を記憶することになるので記憶領域のリソースを圧迫することなく簡単に迅速に所望の情報が得られる効果がある。
【００１１】
第２の発明は、宅内制御装置に着脱自在な記録媒体を有し、少なくとも記録媒体に複製制限手段、セキュリテイ手段、著作権保護手段、書込禁止手段、認証手段、情報管理手段を有する。
【００１２】
本発明において、複製制限手段は、使用者の記録情報の複製を防止するもので、許可された者にしか複製できない構成となっている。セキュリテイ手段はデジタル配信媒体に記憶するときにパスワードにて管理する方法、著作権保護手段はデジタル配信媒体のデジタルデータの暗号化、スクランブル化などにより、その情報の著作権を保護する構成が、書込禁止手段は、記録媒体の情報をいたずらに書換えられないように機械的に規制をかける構成をとっている。認証手段は、個人に与えられたＩＤであり、情報管理手段は、使用者側が、目的とする情報を即時獲得するためのキーワードを設定する構成を有する。宅内制御装置に着脱自在な記録媒体を有し、少なくとも記録媒体に複製制限手段、セキュリテイ手段、著作権保護手段、書込禁止手段、認証手段、情報管理手段を有するので、サーバー側と使用者の間での、プライバシーに関する情報が守られ、使用者は、安心してサーバー側との情報のやりとりをする効果がある。
【００１３】
第３の発明は、宅内制御装置にカレンダー機能を有し、情報取得手段により情報取得時に、時間、時刻、内容の少なくともひとつを記憶手段に記憶し、情報管理するサーバとの間で相互に通信する構成としてある。
【００１４】
本発明において、デジタル配信媒体には、サーバー側、宅内制御装置側のカレンダー機能から履歴部にその情報を記憶した時刻、操作した時間、内容が記憶される。カレンダー機能を有し、履歴部に、時間、時刻、内容を記憶する構成を有するので、サーバー側と使用者の間での情報、サービスでのトラブル発生の時に、その原因を迅速につかむことが可能となり、使用者への的確な応対が可能となる効果がある。
【００１５】
第４の発明は、宅内制御装置に、デジタル配信媒体から配信されてくるコンテンツのキーワードにて反応するための条件設定部を有する構成としてある。
【００１６】
本発明において、特定のキーワードコンテンツに反応する条件設定部を設けているので、不要な情報を蓄積することもなく、記録媒体も効率的に使用することが出来る。
【００１７】
第５の発明は、機器はガスに関連する給湯器、ガス漏れ警報機等のセキュリテイ機器、ガスメータ、空調機、燃料電池、暖房機、調理器等であり、宅内制御装置とは、ワイヤレスで通信する機能を有する。
【００１８】
本発明において、宅内制御装置と機器との間ではワイヤレスで制御コントロールが実現でき格別便利になる効果がある。
【００１９】
第６の発明は、宅内制御装置は、キーワード情報に基づいてコンテンツを自動的にキーワードで分類する構成を有する。
【００２０】
本発明において、サーバー側から配信されるコンテンツに含まれるキーワードによって、宅内表示装置側は設定した項目別に情報が自動分類することができる。
【００２１】
（実施の形態１）
図１は本発明の第１の実施の形態のシステム構成を示す図である。１はデジタル配信媒体のチューナーを含み、デジタル配信媒体に重畳された情報取得する情報取得手段であるセットトップボックス、２は情報データを記憶蓄積する記憶部、３はデジタル配信媒体の情報を解読し読取る読取手段、４は読取手段３の読取った情報を表示する表示手段、５は音声情報を出力する音声出力手段であるスピーカ、６は読取手段４、表示手段５、音声出力手段６等を制御する制御手段、７は制御手段６にワイヤレス信号（例えば赤外線信号）を送信し制御するためのリモコン、８はワイヤレス信号発振部、９はワイヤレス信号、１０はテレビ２に設けたワイヤレス信号送受信部で、リモコン７からの信号を受信したり、リモコン７にワイヤレス信号を送るものである。なお、リモコン７は、送信のみでもよい。
【００２２】
また、読取手段３には、図示していないがデジタル配信媒体１を読取るための媒体インターフェース回路、及びその情報処理のためのエンコーダ、デコーダ回路により構成され、放送系のストリーム系プロトコル、画像、音声の圧縮されたＪＰＥＧ、ＭＰＥＧ１からＭＰＥＧ４、ＭＰ３などのフォーマットも読取ることも可能である。１１はデジタル配信をするデジタル配信媒体局、１２はデジタル配信媒体の電波を家庭に届ける衛星、１３は衛星電波、１４は衛星デジタル配信媒体電波を受信するテレビであり宅内制御装置である。１５はサービスを提供する側のサーバーであるコンピューター、１６はサーバー側の通信装置で、使用者からの情報を受取りサーバー１５にその情報を貯え管理する。１７は使用者がデジタル配信媒体から配信された情報に対してサーバー１５に通信するための通信装置である。
【００２３】
図２は図１で示したシステム構成で、サーバー１５側と使用者との間でのコンテンツ情報サービスのやりとりをフローチャートにまとめたものである。このサービスの例は、サーバー１５側の懸賞情報を衛星デジタル配信媒体にて送信するものである。サーバー１５側の懸賞情報のキーワードヘッダをＨＴＭＬ、ＸＭＬ，ＢＭＬにて埋め込み、送信する。サーバー１５側の送信先の情報に加えて（ステップ２２）、使用者の関心を促進するための懸賞情報に関する情報を付加してもよい（２３）。これを通信インフラである衛星デジタル配信媒体電波に重畳して送信する（２４）。このフォーマットは、インターネットのＨＴＭＬ（Hypertext Markup Language）、ＸＭＬ，ＢＭＬ（eXtensible Markup Language）等のタグで、ある統一されたもしくは標準化された言語で記述されている。インターネットのＨＴＭＬ（Hypertext Markup Language）、ＸＭＬ，ＢＭＬ（Broadcast Markup Language）等のタグは、ある統一されたもしくは標準化された言語で記述されており、媒体は、なんでもよくデジタル配信媒体でも、携帯電話のＣ−ＨＴＭＬでもよい。
【００２４】
宅内制御装置側１４では、受信したコマンドは読取手段３で読取られ情報取得手段１の記憶部２に記憶されると同時に、デイスプレイ４上にその内容がオンスクリーンにも表示される（２５）。使用者は、「懸賞」というキーワードを問い合わせると、宅内制御装置側１４でそのキーワードと一致し（２６）、表示手段４にその実行の履歴が情報取得手段１の記憶部２に記憶される（２７）ことになる。
【００２５】
この履歴は、情報コンテンツを配信する側に送信すれば、コンテンツ側での使用者の関心の度合いを調査することも実現する効果がある。
【００２６】
このように、情報配信側にて、キーワードを付加して送信すると、使用者の端末側（本発明では宅内制御装置）での情報検索、取得が簡単になるという効果がある。
【００２７】
また、懸賞のようなコンテンツに時間制限情報が付加されてサーバ１５から配信されれば、宅内制御装置側で、その有効期限となる時間情報を記憶部２に記憶され（２７）、有効期限となる時間が過ぎれば、記憶部２からコンテンツ内容が削除される（２８）。このように、宅内制御装置に記憶されるコンテンツにはあらかじめ決められれたキーワードおよび時間制限情報を記憶することになるので記憶領域のリソースを圧迫することなく簡単に迅速に所望の情報が得られる効果がある。
【００２８】
（実施の形態２）
図３は本発明の第２の実施の形態のシステム構成を示す図である。第２の実施の形態について図面を参照しながら説明する。図３において、２９は宅内制御装置１４に着脱自在の記録媒体を設けたもので、その記録媒体２９の内部ブロック図を示す図である。３０は情報を記憶する記憶素子（例えば一括消去可能なフラッシュメモリー）、３１は記憶素子３０のアドレス等のアクセスを制御する記憶素子コントローラ、３２は宅内制御装置１４とのインターフェースコントローラ部、３３は宅内制御装置１４と情報の授受をする端子部である。
【００２９】
そして、インターフェースコントローラ部３２には、少なくとも複製制限手段３４、セキュリテイ手段３５、著作権保護手段３６、書込禁止手段３７を有する。
【００３０】
本発明において、複製制限手段３４は、サーバー１５側配信されるコンテンツに複製できる使用者の認証を行う構成となっている。すなわち、サーバー側１５、宅内制御装置１４から、特定のコマンドを送信したのち、宅内制御装置への読み込みや、書き込み（複製）が可能となる構成となっている。また、セキュリテイ手段３５は、送受信する情報をデジタル記録媒体２９に記憶するときにパスワードにて管理する。また著作権保護手段３６は、デジタル記録媒体２９のデジタルデータの暗号化、スクランブル化などにより、その情報の著作権を保護する構成が取られている。書込禁止手段３７は、スライドスイッチ等で機械的に書込が可能となる構成をとっている。
【００３１】
このような構成により、サーバ１５から配信されてくる有益なコンテンツを違法に複製されたり、改竄されることがなく、サーバ１５側のコンテンツの財産が保護される効果を有する。また、使用者のプライバシーに関する情報が守られ、使用者は、安心してサーバー１５側との情報のやりとりや、サービスを受けることが可能となる。
【００３２】
（実施の形態３）
図４は第３の実施の形態のシステム構成を示す図である。なお、第１の実施の形態および第２の実施の形態と同じ構成要素には同一番号を付与して詳細な説明を省略する。第３の実施の形態が第１，２の実施の形態と異なる点は、サーバー側１５、情報取得手段１にカレンダー機能を有し、何らかの操作が実行された時、記憶部２にその時刻、時間、内容を記憶する構成としたことである。
【００３３】
３８、３９はそれぞれサーバー側、情報取得手段１側に設けたカレンダー機能を有する部分である。
【００３４】
このカレンダー機能を、ある操作した時に記録部２にタイムスタンプとして、時刻、時間、操作内容を記憶することによって、サーバー側１５と使用者の間での情報、サービスでのトラブル発生の時に、その原因を迅速につかむことが可能となる。また、デジタル配信媒体１の通信情報は、サーバー側の管理するデータベースに貯えられたり、宅内制御装置１４側の着脱自在の記録媒体２９に記憶する構成もあり、本発明に限定されるものではない。また、通信装置１７は、電話、携帯電話、ＰＨＳ，モデムがついたパーソナルコンピュータなどその媒体は限定されずに通信できることはいうまでもないし、常時接続のインターネット網でもよい。また、リモコン７にデジタル配信媒体１の読取手段３を設けてもよい。また、情報取得手段１はＦＴＴＨや、ＣＡＴＶ、無線を受けてもよい。
【００３５】
情報取得手段１の記憶部２に記憶される時刻は記憶終了された時刻を、時間はコンテンツを閲覧した時間を意味する。閲覧時間を記憶しておくことによって、その情報をサーバ１５側に送信すれば、時間が多ければ多いほど有益なコンテンツと判断することができ、サーバ側のコンテンツ開発に役に立つ効果がある。
【００３６】
（実施の形態４）
図５は第４の実施の形態の本実施例のシステム構成を示す図である。図６は図５で示したシステム構成で、サーバー１５側と使用者との間でのコンテンツ情報サービスのやりとりをフローチャートにまとめたものである。なお、第１〜３の実施の形態と同じ構成要素には同一番号を付与して詳細な説明を省略する。第４の実施の形態が第３の実施の形態の１〜３と異なる点は、宅内制御装置１４にデジタル配信媒体から放送されてくるコンテンツのキーワードに反応する条件設定部４０を設けたことである。例えば、あらかじめ今晩のおかずに反応するキーワードを設定しておき（ステップ４２）、放送されてくるキーワードヘッダを参照し、識別する。使用者が、あらかじめ今晩のおかずを決めたい時には、「おかず」というキーワードを設定しておけば、宅内制御装置側１４でそのキーワードと一致し（ステップ４３）、その実行履歴は情報取得手段１の記憶部２に記憶される（ステップ２８）ことになる。
【００３７】
条件設定部４０への設定方法は、宅内制御装置１４の表示手段４を使用者がみてリモコン７にて操作する方法やキーボードやデジタル記録媒体２９に登録してもよい。
【００３８】
このように、あらかじめ決めたキーワードに反応するように条件設定部４０に使用者の望みのコンテンツを設定しておけば自動的に必要なコンテンツが収集されるので大変便利になる効果がある。
【００３９】
（実施の形態５）
図７は第５の実施の形態を示すシステム構成図である。なお、第１〜４の実施の形態と同じ構成要素には同一番号を付与して詳細な説明を省略する。４４は機器であり、機器４４はガスに関連する給湯器、ガス漏れ警報機等のセキュリテイ機器、ガスメータ、空調機、燃料電池、暖房機、調理器等であり、宅内制御装置１４とは、ワイヤレスで通信する機能を有する。
【００４０】
たとえば、宅内制御装置１４で、「おかず」というキーワードヘッダに反応して得られた調理レシピは調理機器のひとつである電子レンジにワイヤレスで送信し、キッチンで、レシピを見ながら調理することが可能である。
【００４１】
また、ガスの給湯器であれば、「健康入浴」というキーワードヘッダであれば、風呂場のリモコンにワイヤレスでその方法を送信したり、温度制御も送信することができる。
【００４２】
また、ガスセキュリテイ機器であれば、警報器の使い方をワイヤレスで送信したり、機器のメンテナンスなどのチェックをしたりすることもできる。
【００４３】
ガスメータであれば、「検針」というキーワードにより、自動的に送信し、検針を行うこともできる。
【００４４】
また、燃料電池、空調機、暖房機も同じように、「メンテナンス」というキーワードヘッダにより、燃料電池であれば燃料である水素、酸素の供給状態、使用時間の情報取得等、所定の制御をワイヤレスで行うことも可能である。
【００４５】
したがって、本発明において、宅内制御装置１４と機器４４との間ではコンテンツに含まれる情報によってさまざまな機器との間でワイヤレスで制御コントロールが実現できる。
【００４６】
（実施の形態６）
図８は第６の実施の形態のサービスを示すフローチャートである。
【００４７】
第６の実施の形態において、宅内制御装置１４は、ヘッダ情報に基づいてコンテンツを自動的にキーワード分類、整理する構成を有する。
【００４８】
本発明において、サーバー側からのキーワードヘッダによって、宅内制御装置１４は、条件設定部４０で設定した項目別に情報が分類される。
【００４９】
例えば、ニュース、天気、料理というようなキーワードを設定する（ステップ４５）フォルダを設けておけば、サーバー１５側から送られてきたキーワードヘッダと、宅内表示側で設定したキーワードのフォルダと照合し（ステップ４６）分類、整理される（ステップ４７）。使用者は、フォルダ毎に整理された情報をみて、所望の操作を迅速にすることができる。
【００５０】
また、条件設定部４０で、キーワードと、日時指定（何時〜何時まで）と掛け合わせた条件で設定すると、限られたコンテンツを収集することが可能となり使用者にとって不要なコンテンツを収集しなくてもよい効果がある。
【図面の簡単な説明】
【００５１】
【図１】本発明の実施例１のシステム構成を示す図
【図２】同実施例１の構成を示すフローチャート
【図３】本発明の実施例２のデジタル記録媒体の内部ブロック図を示す図
【図４】本発明の実施例３のシステム構成を示す図
【図５】本発明の実施例４のシステム構成を示す図
【図６】同実施例５の構成を示すフローチャート
【図７】本発明の実施例５のシステム構成を示す図
【図８】本発明の実施例６の構成を示すフローチャート
【図９】従来の端末装置の表示の一例図
【符号の説明】
【００５２】
１  情報取得手段
２  記憶部
３  読取手段
４  表示手段
５  音声出力手段
６  制御手段
１１  デジタル配信媒体局
１４  宅内制御装置
１５  サーバー
１６、１７  通信装置
１９  履歴部
２９  記録媒体
３４  複製制限手段
３５  セキュリテイ防止手段
３６  著作権保護手段
３７  書込禁止手段
３８、３９  カレンダー機能部
４０  条件設定部
４４  機器
【図１】
2005050191.tif 000003
【図２】
2005050191.tif 000004
【図３】
2005050191.tif 000005
【図４】
2005050191.tif 000006
【図５】
2005050191.tif 000007
【図６】
2005050191.tif 000008
【図７】
2005050191.tif 000009
【図８】
2005050191.tif 000010
【図９】
2005050191.tif 000011